(57)【特許請求の範囲】
【請求項１】
遊技媒体を払い出すためのホッパー装置と、
周囲に複数の図柄が付されたリールと、
前記ホッパー装置および前記リールの駆動を制御する主制御基板と、
前記主制御基板とは異なる基板であって前記主制御基板からの前記ホッパー装置を駆動するための信号に基づき前記ホッパー装置を駆動するホッパー駆動回路を有する所定の基板と、を筐体内部に備えたスロットマシンにおいて、
前記ホッパー装置は、前記筐体の高さ方向の中心位置より下方に配設され、
前記所定の基板は、前記筐体の高さ方向の中心位置より上方に配設され、
前記主制御基板は、
前記リールを駆動するための信号を出力していない場合は、前記ホッパー装置に対して電力を供給する制御を行い、
前記リールを駆動するための信号を出力している場合は、前記ホッパー装置に対して電力の供給を遮断する制御を行うことを特徴とするスロットマシン。
【発明の詳細な説明】
【技術分野】
【０００１】
本発明は、遊技メダルを払い出すためのホッパー装置を備えるスロットマシンに関し、更に詳しくは、不正な遊技メダルの払い出しを防止することができるスロットマシンに関する。
【背景技術】
【０００２】
従来から、スロットマシンには、周囲に複数の図柄が付された複数の回転リールと、遊技メダルの貯留及び払い出しを行うためのホッパー装置と、回転リール及びホッパー装置の作動を制御するとともに、遊技の進行を制御する主制御装置と、主制御装置からの制御信号に基づいてホッパー装置を駆動させるホッパー駆動回路と、回転リール、ホッパー装置、主制御装置、及びホッパー駆動回路等の構成部品や装置等に電力を供給する電源装置とが備えられている。そして、これら電源装置等の構成部品や装置等は、筐体に収納されている。たとえば、ホッパー装置及び電源装置は、筐体内部の底部に載置されている。また、たとえば、ホッパー駆動回路は、電源装置に設けられている（特許文献１参照）。
【先行技術文献】
【特許文献】
【０００３】
【特許文献１】特開２００５−３３５号公報
【発明の概要】
【発明が解決しようとする課題】
【０００４】
このようなことから、従来のスロットマシンでは、ホッパー駆動回路に不正にアクセスすることが容易であった。このため、ホッパー駆動回路に不正にアクセスして短絡させ、ホッパー装置を異常動作させて不正に遊技メダルを払い出させる不正行為が行われることがあった。具体的には、たとえば、筐体の隙間等から針金やピアノ線等の金属を挿入しホッパー駆動回路を短絡させ、ホッパー装置を異常動作させて不正に遊技メダルを払い出させる不正行為が行われることがあった。また、このような不正行為が行われると発見が困難であるといった問題もあった。
そこで、請求項にそれぞれ記載された各発明は、上述のような事情に鑑みてなされたものであり、その目的とするところは、次の点にある。すなわち、本発明は、ホッパー装置を異常動作させて、不正に遊技メダルを払い出させる不正行為を防止することができるスロットマシンを提供することを目的とする。
【課題を解決するための手段】
【０００５】
本発明に係るスロットマシンは、上記した目的を達成するためになされたものであり、本発明に直接的又は間接的に関係する特徴点を図面に示した発明の実施の形態を用いて、以下に説明する。
なお、符号は、発明の実施の形態において用いた符号を示し、本発明の技術的範囲を限定するものではない。
（第１の特徴点）
第1の特徴点としては、遊技媒体を払い出すためのホッパー装置23を筐体11内部に配設したスロットマシン10であって、ホッパー装置23および回転リール14の駆動を制御する主制御装置（主制御基板）18と、主制御装置18からの信号に基づいてポッパー装置23を駆動させるホッパー駆動回路73を有するリール制御基板（所定の基板）16と、を備え、ホッパー装置23は、筐体11の内部であって、筐体11の高さ方向の中心位置より下方に配設され、リール制御基板16は、筐体11の内部であって、筐体11の高さ方向の中心位置より上方に設けられていることを特徴とする。
【０００６】
ここで、「筐体」は、その内部に、周囲に複数の図柄が付された複数の回転リール14を有するリールユニット15や、遊技媒体（たとえば、遊技メダル等）の貯留及び払い出しを行うための装置であるホッパー装置23等の構成部品や装置等を収納可能な箱体であって、正面側に正面開口部11aを有するものである。また、筐体11には、たとえば、高さ方向ほぼ中央に、筐体11の内部を上下に仕切るとともに、リールユニット15を配設するための仕切り板13を設けることができる。
なお、筐体11の正面開口部11aには、その正面開口部11aを開閉自在に塞ぐ前扉25が設けられ、前扉25の下部中央には、遊技媒体を払い出すための遊技媒体払出口が設けられる。
【０００７】
またここで、「正面側」とは、スロットマシン10から見て、遊技を行う遊技者が位置する方向を意味するものである。具体的には、スロットマシン10の前面の前でスロットマシン10の方向に顔を向けている遊技者から見た場合の、奥から手前への方向、すなわちスロットマシン10の奥から前面へ向かう方向を意味ものである。
また、「ホッパー装置」は、遊技媒体（たとえば、遊技メダル等）を貯留するとともに、所定の役に入賞する等の条件を満たすことにより遊技媒体を払い出すための装置である。また、ホッパー装置23は、筐体11の内部であって、筐体11の高さ方向の中心位置より下方に配設されるものである。たとえば、ホッパー装置23は、遊技媒体を貯留可能な貯留部58と、貯留部58を支持する基部59とを備え、基部59は、遊技媒体を筐体11外部へ払い出すための遊技媒体払出通路、貯留部58に貯留されている遊技媒体を１個づつ遊技媒体払出通路へ送る回転ディスク、回転ディスクを回転駆動させるホッパー駆動モータ60、払い出される遊技媒体を検出する払出センサ61を備えることができる。
【０００８】
また、「主制御装置」は、回転リール14の回転や、ホッパー装置23の作動などを制御するとともに、遊技の進行を制御するものである。具体的には、たとえば、主制御装置18は、複数の回転リール14総ての回転を開始させるためのスタートスイッチ34の操作を契機に、複数の役のいずれかに当選か否かの抽選を行う。また、たとえば、主制御装置18は、役抽選の結果などに基づいて、回転リール14の停止制御を行う。また、たとえば、主制御装置18は、所定の役に入賞する等の条件を満たすことにより、ホッパー装置23に遊技媒体を払い出せる払出制御を行う。
また、この主制御装置18は、ＣＰＵ41、ＲＯＭ42、ＲＡＭ43、Ｉ／Ｏポート44等の電子部品を備えた基板により構成することができる。
【０００９】
また、「ホッパー駆動回路」は、主制御装置18からの信号に基づいてポッパー装置23を駆動させるものである。また、ホッパー駆動回路73は、筐体11の内部であって、筐体11の高さ方向の中心位置より上方に設けられるものである。たとえば、ホッパー駆動回路73は、筐体11内部の仕切り板13の上面に配設されるリールユニット15の上部に設けることができる。
本発明に係るスロットマシン10において、ホッパー装置23は、筐体11の内部であって、筐体11の高さ方向の中心位置より下方に配設される。また、ホッパー装置23を駆動させるホッパー駆動回路73は、筐体11の内部であって、筐体11の高さ方向の中心位置より上方に設けられる。
【００１０】
これにより、たとえば、前扉25の下部中央に設けられた遊技媒体払出口から針金やピアノ線等の金属を挿入し、ホッパー駆動回路73を短絡させようとしても、ホッパー駆動回路73は、筐体11内部における筐体11の高さ方向の中心位置より上方に設けられるので、このような行為が困難となる。すなわち、本発明に係るスロットマシン10によれば、前扉25の遊技媒体払出口や、筐体11の隙間等から針金やピアノ線等の金属を挿入しホッパー駆動回路73を短絡させて、ホッパー装置23を異常動作させ不正に遊技媒体を払い出させる不正行為を防止することができる。
また、本発明に係るスロットマシン10によれば、ホッパー駆動回路73を短絡させようとする場合、筐体11の上部付近のいずれかの箇所から針金やピアノ線等の金属を挿入することとなり、このような作業は、遊技店において目立つこととなる。このため、上述した不正行為の発見が容易となる。
【００１１】
（第２の特徴点）
第２の特徴点としては、周囲に複数の図柄が付された回転リール14を備え、主制御装置18は、回転リール14の回転を制御するように構成され、主制御装置18からリール14を駆動させる旨の信号が出力されていない間は、ホッパー装置23へ電力を供給するとともに、主制御装置18から回転リール14を駆動させる旨の信号が出力されている間は、ホッパー装置23への電力の供給を遮断することを特徴とする。
【００１２】
ここで、主制御装置18からリール14を駆動させる旨の信号が出力されていない間は、ホッパー装置23へ電力を供給するとともに、主制御装置18からリール14を駆動させる旨の信号が出力されている間は、ホッパー装置23への電力の供給を遮断するものである。
すなわち、本発明に係るスロットマシン10は、回転リール14の回転が停止している間は、ホッパー装置23へ電力を供給し、回転リール14が回転している間は、ホッパー装置23への電力の供給を遮断するようにしたものである。
ここで、従来のスロットマシンでは、遊技媒体の不正な払い出しを防止すべく、主制御装置18は、ホッパー装置23の払出センサ61からの入力信号を常時監視しているものであった。これに対し、本発明に係るスロットマシン10では、回転リール14が回転している間は、ホッパー装置23への電力の供給が遮断されるので、主制御装置18は、回転リール14が回転している間、ホッパー装置23の払出センサ61からの入力信号を監視する必要がなくなる。すなわち、本発明に係るスロットマシン10によれば、主制御装置18のソフトの負担を低減することができる。
【００１３】
（第３の特徴点）
第３の特徴点としては、筐体11には、高さ方向ほぼ中央に筐体11の内部を上下に仕切る仕切り板13が設けられ、回転リール14及びリール駆動モータ51は、リールフレーム53に装着されて筐体11内部の仕切り板13の上面に配設され、ホッパー駆動回路73、リール駆動回路72、及び電源スイッチ回路75は、リールフレーム53の上部に設けられていることを特徴とする。
すなわち、本発明に係るスロットマシン10によれば、ホッパー駆動回路73、リール駆動回路72、及び電源スイッチ回路75は、リールフレーム53の上部に集約される。これにより、ホッパー装置23を異常動作させて、遊技媒体を不正に払い出させる不正行為をより確実に防止することができる。
【発明の効果】
【００１４】
（第１の特徴点）
すなわち、第１の特徴点によれば、ホッパー装置を異常動作させて、不正に遊技媒体を払い出させる不正行為を防止することができるスロットマシンを提供することができる。
（第２の特徴点）
すなわち、第２の特徴点によれば、回転リールが回転している間、ホッパー装置への電力供給をハード的に遮断することで、主制御装置のソフトの負担を低減することができるスロットマシンを提供することができる。
【００１５】
（第３の特徴点）
第３の特徴点によれば、筐体11には、高さ方向ほぼ中央に筐体11の内部を上下に仕切る仕切り板13が設けられ、回転リール14及びリール駆動モータ51は、リールフレーム53に装着されて筐体11内部の仕切り板13の上面に配設され、ホッパー駆動回路73、リール駆動回路72、及び電源スイッチ回路75は、リールフレーム53の上部に設けられていることを特徴とする。
すなわち、ホッパー駆動回路73、リール駆動回路72、及び電源スイッチ回路75は、リールフレーム53の上部に集約される。これにより、ホッパー装置23を異常動作させて、遊技媒体を不正に払い出させる不正行為をより確実に防止することができる。
【図面の簡単な説明】
【００１６】
【図１】本発明の実施の形態であって、スロットマシンを示す斜視図である。
【図２】本発明の実施の形態であって、スロットマシンの筐体の内部を示す内部正面図である。
【図３】本発明の実施の形態であって、リールユニット及びリール制御基板ユニットを示す斜視図である。
【図４】本発明の実施の形態であって、スロットマシン全体の電気的構成を示すブロック図である。
【図５】本発明の実施の形態であって、電源スイッチ回路を示す回路図である。
【発明を実施するための形態】
【００１７】
以下、本発明の実施の形態について、図面を参照しつつ説明する。
なお、本実施の形態において、「正面」とは、スロットマシン10において遊技を行う際に遊技者が向き合う面を意味するものである。
また、「正面側」、及び「前方」とは、スロットマシン10から見た場合に、このスロットマシン10の正面に向き合って遊技機を行う遊技者が位置する方向をいう。
（スロットマシン10）
本実施の形態に係るスロットマシン10は、遊技媒体としての遊技メダルを使用して、三個の回転リール14の各々の周囲に付された複数の図柄が所定の組合せとなるように、回転している回転リール14を停止させる遊技を行うものである。
【００１８】
スロットマシン10は、図１及び図２に示すように、正面側に向かって開口する正面開口部11aを有する四角箱状の筐体11と、筐体11の正面開口部11aを開閉自在に塞ぐ前扉25とを有している。前扉25は、筐体11の左端部にヒンジ12により取り付けられており、この部分を軸として前後方向に回転自在なものとなっている。なお、前扉25は、閉じられると、自動的に施錠されるようになっている。
（筐体11）
筐体11には、図２に示すように、高さ方向ほぼ中央に、筐体11の内部を上下に仕切る仕切り板13が設けられている。そして、筐体11内部の仕切り板13の上面には、三個の回転リール14を横並びに設けたリールユニット15が配設されており、リールユニット15の上部には、回転リール14の回転を制御するリール制御基板16を有するリール制御基板ユニット17が設けられている。そして、リール制御基板ユニット17の上方には、主制御装置18を構成するメイン制御基板19を有するメイン制御基板ユニット20と、設定キースイッチ47等の複数種類のスイッチを有するスイッチ装置21とが併設されている。
【００１９】
また、筐体11内部の仕切り板13の下方、具体的には、筐体11の底板上面には、スロットマシン10に備えられた各種装置等に電力を供給する電源基板77を有する電源装置22と、遊技メダルを貯留するとともに、所定の役に入賞する等の条件を満たすことにより遊技メダルを払い出すためのホッパー装置23とが配設されている。
なお、筐体11内部には、他の構成部品や装置を備えることもできる。
（前扉25）
前扉25の中央部から上部には、図１に示すように、遊技者側に向かって臨む表示部26が形成されている。そして、表示部26の略中央には、各回転リール14の周囲に付された図柄を見ることができる図柄表示窓27が形成されている。
【００２０】
また、表示部26の上方には、各種表示を行う液晶表示装置28が設けられ、液晶表示装置28の中央上方、右上方、及び左上方には、遊技の進行に応じて点灯や点滅等を行うランプ29がそれぞれ設けられている。また、液晶表示装置28の右下方及び左下方には、音声や効果音を出力するためのスピーカ30がそれぞれ設けられている。
また、表示部26の下方であって、前扉25の正面中央には、前扉25の正面から前方に向かって突出する操作部31が設けられている。そして、操作部31の上面右側には、遊技メダルを投入するためのメダル投入口32が設けられている。また、操作部31の上面左側には、スロットマシン10に電子的に貯留されているクレジットメダルを１枚ベットするためのシングルベットスイッチ33a、及び、クレジットメダルを１回の遊技につき投入可能な最大枚数分（たとえば、３枚）ベットするためのマックスベットスイッチ33bが横並びに設けられている。また、操作部31の前面左側には、投入された遊技メダルを精算するための精算スイッチ83が設けられている。また、操作部31の前面左側であって、精算スイッチ83の隣には、三個の回転リール14総ての回転を開始させるためのレバー状のスタートスイッチ34が設けられている。また、操作部31の前面中央には、各回転リール14に対応するとともに、各回転リール14の回転をそれぞれ別個に停止させるための三個のストップスイッチ35が横並びに設けられている。また、操作部31の前面右端部には、前扉25を解錠するための鍵穴36が設けられている。
【００２１】
また、前扉25の下部中央には、遊技メダルを払い出すためのメダル払出口37が設けられ、メダル払出口37の左右両側には、音声や効果音等を出力するためのスピーカ30がそれぞれ１つずつ設けられている。また、メダル払出口37の下方には、メダル払出口37から払い出された遊技メダルを貯めておくことができるメダル受け皿38が設けられている。
また、前扉25の裏面における、メダル投入口32に対応する位置には、メダル投入口32から投入された遊技メダルの選別を行うためのメダルセレクタ39が設けられている。また、前扉25の裏面上部中央には、スロットマシン10における遊技の演出を制御する制御装置を構成するサブ制御基板40を有するサブ制御基板ユニットが設けられている。
【００２２】
（スイッチ装置21）
スイッチ装置21は、図４に示すように、スロットマシン10を遊技の設定を変更することが可能な状態とするための設定キースイッチ47と、遊技の設定を変更するための設定変更スイッチ48と、エラーを解除するためのリセットスイッチ49と、打ち止めの有無を設定するための打ち止めスイッチ50とを有している。
（リールユニット15）
リールユニット15は、図３及び図４に示すように、周囲に複数の図柄が付された三個の回転リール14と、各回転リール14の回転中心に連結されて、各回転リール14を回転させる三個のリール駆動モータ51と、各回転リール14の内周内側に配置されて、図柄を背後から照光する三個のバックランプ52と、各回転リール14の基準位置を検出する三個のリールセンサ54と、回転リール14、リール駆動モータ51、バックランプ52、及びリールセンサ54が装着されるリールフレーム53とを備えている。
【００２３】
リールフレーム53は、図３に示すように、正面視四角枠状に形成され、その内部に、三個の回転リール14を横並びに装着できるように形成されている。また、リールフレーム53は、その上部に、リール制御基板16、及び、バックランプ52とサブ制御基板40との間を中継するバックランプ中継基板55を配設できるように形成されている。具体的には、図３（Ａ）に示すように、リールフレーム53の上面周縁には側壁が立設されており、これにより、その内部に、リール制御基板16、及びバックランプ中継基板55を収納できるように形成されている。そして、リールフレーム53の上部に、リール制御基板16、及びバックランプ中継基板55が収納されて、ケース蓋56によりこれらの基板が覆われて封印が施されることで、リール制御基板ユニット17が構成されている（図３（Ｂ）参照）。
【００２４】
本実施の形態におけるリール駆動モータ51は、ハイブリッド型ステッピングモータである。ハイブリッド型ステッピングモータは、ステータと、これに対向するロータとを備えている。ロータは、多数の歯車状突起を有し、これに回転軸と同方向に磁化された永久磁石が組み込まれている。そして、ステッピングモータは、後述するメイン制御基板19のＣＰＵ41の制御に基づき後述するリール駆動回路72から出力されるパルス信号（励磁パルス）がハイ信号になって入力されると、ステータの各励磁相φ１〜φ４に順次励磁電流が流れて、これらの励磁相φ１〜φ４が所定の手順に従って励磁されることによりロータを回転駆動させ、回転軸の回転により回転リール14を回転させる。ステッピングモータを回転駆動させるための制御方法としては、たとえば、１−２相励磁方式が適用される。１−２相励磁方式は、励磁相φ１〜φ４のうちでハイ信号を入力する励磁相を（φ１、φ２）、（φ１）、（φ４、φ１）、（φ４）・・・のように、１相と２相とを順次切り替えるものとなっている。このように励磁相φ１〜φ４に励磁電流を与えるためのパルス信号がハイ信号になって入力される度に、ステッピングモータの回転軸は、１ステップずつ回転することとなる。
【００２５】
（ホッパー装置23）
ホッパー装置23は、図２及び図４に示すように、遊技メダルを貯留可能な貯留部58と、貯留部58を支持する基部59とを備える。基部59は、遊技メダルをホッパー装置23の外部へ払い出すための遊技メダル払出通路と、貯留部58に貯留されている遊技メダルを１個づつ遊技メダル払出通路へ送る回転ディスクと、回転ディスクを回転駆動させるホッパー駆動モータ60と、払い出される遊技メダルを検出する払出センサ61とを備えている。
（スロットマシン10の電気的構成）
本実施の形態に係るスロットマシン10の電気的構成について説明する。本実施の形態に係るスロットマシン10の制御回路は、図４に示すように、メイン制御基板19、サブ制御基板40、リール制御基板16、バックランプ中継基板55、外部出力基板62、及び電源基板77に大きく分けて構成されている。
【００２６】
（メイン制御基板19）
主制御装置18を構成するメイン制御基板19は、回転リール14の回転や、ホッパー装置23の作動などを制御するとともに、遊技の進行を制御するものである。具体的には、メイン制御基板19は、図４に示すように、ＣＰＵ41、ＲＯＭ42、ＲＡＭ43、及びＩ／Ｏポート44を含む１チップマイクロコンピュータを有している。また、メイン制御基板19は、ＣＰＵ41の指示に従って作動し、一定範囲の乱数を発生させる乱数発生回路45、ＣＰＵ41の指示に従い、乱数発生回路45が発生させた乱数の中から任意の乱数を抽出するとともに、その抽出した乱数をＣＰＵ41に入力するサンプリング回路46等を有している。
【００２７】
ＣＰＵ41は、計時機能、タイマ割り込み等の割り込み機能を備え、ＲＯＭ42に記憶されているプログラムを実行して、遊技の進行に関する処理を行うとともに、スロットマシン10内の制御回路の各部を直接的または間接的に制御する。ＲＯＭ42には、ＣＰＵ41が実行するプログラムや、回転リール14を停止制御するための停止制御テーブル等の恒久的なデータが記憶されている。ＲＡＭ43は、ＣＰＵ41がプログラムを実行する際のワーク領域として使用される。Ｉ／Ｏポート44は、メイン制御基板19に接続されている各回路等との間で信号を入出力する。
また、メイン制御基板19には、メダルセレクタ39、シングルベットスイッチ33a、マックスベットスイッチ33b、スタートスイッチ34、ストップスイッチ35、及び精算スイッチ83が接続されており、これらのスイッチ等の検出信号が入力される。また、メイン制御基板19には、リール制御基板16を介して、リールユニット15のリールセンサ54、ホッパー装置23の払出センサ61、並びに、スイッチ装置21の設定キースイッチ47、設定変更スイッチ48、リセットスイッチ49、及び打ち止めスイッチ50が接続されており、これらのスイッチやセンサからの検出信号が入力される。そして、メイン制御基板19のＣＰＵ41は、Ｉ／Ｏポート44を介して入力されるこれらのスイッチやセンサからの検出信号に基づいて、各種処理を行っている。
【００２８】
また、メイン制御基板19には、リール制御基板16を介して、リールユニット15のリール駆動モータ51、及びホッパー装置23のホッパー駆動モータ60が接続されている。そして、ＣＰＵ41は、スタートスイッチ34の操作を契機に行われる内部抽選によりＲＡＭ43に設定される当選フラグに従って停止制御テーブルを参照し、リール制御基板16を介してリールユニット15のリール駆動モータ51を制御し、回転リール14の回転を停止させる。また、ＣＰＵ41は、総ての回転リール14の回転が停止した際に行われる入賞判定に基づいて、リール制御基板16を介してホッパー装置23のホッパー駆動モータ60を制御し、ホッパー装置23を作動させて遊技メダルを払い出させる。そして、ＣＰＵ41は、リール制御基板16を介して入力されるホッパー装置23の払出センサ61からの検出信号に基づいて、遊技メダルを払い出す払い出し処理を終了する。
【００２９】
さらに、メイン制御基板19には、サブ制御基板40に接続されており、ＣＰＵ41は、Ｉ／Ｏポート44を介してサブ制御基板40に、各種のコマンドを送信する。なお、メイン制御基板19とサブ制御基板40との間での信号のやりとりは、一方通行となるように設定されている。すなわち、メイン制御基板19からサブ制御基板40に向かってのみ信号が送られ、サブ制御基板40からメイン制御基板19に向かっていかなる信号も送られないように設定されている。
またさらに、メイン制御基板19には、リール制御基板16を介して外部出力基板62が接続されており、ＣＰＵ41は、リール制御基板16を介して外部出力基板62に、遊技メダルが投入された旨の信号であるメダルＩＮ信号や、遊技メダルが払い出された旨の信号であるメダルＯＵＴ信号などを出力する。
【００３０】
（サブ制御基板40）
サブ制御基板40は、スロットマシン10における遊技の演出を制御するものである。具体的には、サブ制御基板40は、図４に示すように、ＣＰＵ65、ＲＯＭ66、ＲＡＭ67、及びＩ／Ｏポート68を含む１チップマイクロコンピュータを有している。また、サブ制御基板40は、ＣＰＵ65の指示に従って作動し、一定範囲の乱数を発生させる乱数発生回路69、ＣＰＵ65の指示に従い、乱数発生回路69が発生させた乱数の中から任意の乱数を抽出するとともに、その抽出した乱数をＣＰＵ65に入力するサンプリング回路70、及び、後述する電源基板77の電源回路78から供給されるＤＣ電力の電圧を、サブ制御基板40内の回路等を駆動させるための駆動電力の電圧に変換する電源回路71等を有している。
【００３１】
ＣＰＵ65は、計時機能、タイマ割り込み等の割り込み機能を備え、ＲＯＭ66に記憶されているプログラムを実行して、遊技の演出に関する処理を行うとともに、サブ制御基板40内の各回路及びこれに接続されている各回路を制御する。ＲＯＭ66には、ＣＰＵ65が実行するプログラムや、恒久的なデータが記憶されている。ＲＡＭ67は、ＣＰＵ65がプログラムを実行する際のワーク領域として使用される。Ｉ／Ｏポート68は、サブ制御基板40に接続されている各回路等との間で信号を入出力する。
また、サブ制御基板40には、液晶表示装置28、ランプ29、及びスピーカ30が接続されている。また、サブ制御基板40には、バックランプ中継基板55を介してリールユニット15のバックランプ52が接続されている。そして、ＣＰＵ65は、Ｉ／Ｏポート68を介して受信したメイン制御基板19からのコマンドに基づいて、これらの装置の制御し、演出を行わせている。
【００３２】
また、サブ制御基板40には、電源基板77が接続されており、電源回路71は、後述する電源基板77から供給されるＤＣ１２Ｖ電力を変換して、ＤＣ５Ｖ電力を生成している。
（リール制御基板16）
リール制御基板16は、回転リール14の回転を制御するものである。具体的には、リール制御基板16は、図４に示すように、メイン制御基板19からの信号に基づいてリール駆動モータ51を駆動させるリール駆動回路72と、メイン制御基板19からの信号に基づいてポッパー装置23を駆動させるホッパー駆動回路73と、後述する電源基板77の電源回路78から供給されるＤＣ電力の電圧を、リール制御基板16内の回路等を駆動させるための駆動電力の電圧に変換する電源回路74と、ホッパー装置23へ供給される電力の供給と遮断とを切り替える電源スイッチ回路75とを有している。
【００３３】
また、リール制御基板16には、リールユニット15のリール駆動モータ51、及びホッパー装置23のホッパー駆動モータ60が接続されている。そして、リール駆動回路72は、メイン制御基板19のＣＰＵ41からのステッピングモータのステータの各励磁相φ１〜φ４に励磁電流を与えるためのパルス信号（励磁パルス）に基づいて、リール駆動モータ51を駆動制御し、回転リール14を回転させる。たとえば、リール駆動回路72は、メイン制御基板19のＣＰＵ41から出力されるパルス信号が、リール駆動モータ51を駆動させる旨の信号であるハイ信号である場合に、回転リール14を回転させる。
また、ホッパー駆動回路73は、メイン制御基板19のＣＰＵ41からの制御信号に基づいて、ホッパー駆動モータ60を駆動制御し、ホッパー装置23を作動させて遊技メダルを払い出させる。
【００３４】
また、リール制御基板16には、後述する電源基板77が接続されており、電源回路74は、電源基板77から供給されるＤＣ１２Ｖ電力を変換して、ＤＣ５Ｖ電力を生成している。
なお、電源スイッチ回路75については、後程詳述する。
（外部出力基板62）
外部出力基板62は、遊技店の管理コンピュータ等の外部装置に接続されており、メイン制御基板19からリール制御基板16を介して入力されるメダルＩＮ信号や、メダルＯＵＴ信号などを、管理コンピュータ等の外部装置に送信する。
（電源基板77）
電源基板77は、スロットマシン10に備えられた各種装置や回路に電力を供給するものであって、電源回路78を有している。電源回路78は、交流−直流変換を行い、スロットマシン10に備えられている各種装置や回路を作動させるのに必要な直流電力を生成するものである。
【００３５】
具体的には、図４に示すように、電源基板77には、外部電源が接続されており、電源回路78は、外部電源から供給されるＡＣ２４Ｖ電力を変換して、ＤＣ２４Ｖ電力及びＤＣ１２Ｖ電力を生成している。
また、電源基板77には、リール制御基板16が接続されており、電源回路78で生成されたＤＣ２４Ｖ電力及びＤＣ１２Ｖ電力は、電力線を介してリール制御基板16に供給されている。また、電源基板77には、サブ制御基板40が接続されており、電源回路78で生成されたＤＣ１２Ｖ電力は、電力線を介してサブ制御基板40に供給されている。
（電力供給の流れ）
スロットマシン10に備えられている各種装置や回路における電力供給の流れについて説明する。
【００３６】
図４に示すように、外部電源から電源基板77にＡＣ２４Ｖ電力が供給される。電源基板77に供給されたＡＣ２４Ｖ電力は、電源基板77の電源回路78により、ＤＣ２４Ｖ電力及びＤＣ１２Ｖ電力に変換される。そして、電源回路78により生成された電力は、電力線を介して、リール制御基板16とサブ制御基板40とに供給される。具体的には、リール制御基板16にはＤＣ２４Ｖ電力及びＤＣ１２Ｖ電力が供給され、サブ制御基板40にはＤＣ１２Ｖ電力が供給される。
そして、リール制御基板16に供給されたＤＣ２４Ｖ電力は、電力線を介して、ホッパー装置23のホッパー駆動モータ60と、リールユニット15のリール駆動モータ51とに供給される。また、リール制御基板16に供給されたＤＣ１２Ｖ電力は、リール制御基板16の電源回路74により、ＤＣ５Ｖ電力に変換される。そして、電源回路74により生成されたＤＣ５Ｖ電力は、リール制御基板16内の各回路の駆動電力として用いられるとともに、メイン制御基板19、外部出力基板62、スイッチ装置21、ホッパー装置23の払出センサ61、及びリールユニット15のリールセンサ54に、電力線を介して供給される。
【００３７】
さらに、リール制御基板16からメイン制御基板19に供給されたＤＣ５Ｖ電力は、メイン制御基板19内のＣＰＵ41や回路の駆動電力として用いられるとともに、メダルセレクタ39、シングルベットスイッチ33a、マックスベットスイッチ33b、スタートスイッチ34、ストップスイッチ35、及び精算スイッチ83に、電力線を介して供給される。
一方、電源基板77からサブ制御基板40に供給されたＤＣ１２Ｖ電力は、サブ制御基板40の電源回路71により、ＤＣ５Ｖ電力に変換される。そして、電源回路71により生成されたＤＣ５Ｖ電力は、サブ制御基板40内のＣＰＵ65や回路の駆動電力として用いられるとともに、液晶表示装置28、ランプ29、及びスピーカ30に、電力線を介して供給される。また、電源回路71により生成されたＤＣ５Ｖ電力は、バックランプ中継基板55を介してリールユニット15のバックランプ52に供給される。
【００３８】
（電源スイッチ回路75）
リール制御基板16の電源スイッチ回路75について説明する。
電源スイッチ回路75は、メイン制御基板19からリール駆動回路72にリール駆動モータ51を駆動させる旨の信号が出力されていない間は、ホッパー装置23へ電力を供給するとともに、メイン制御基板19からリール駆動回路72にリール駆動モータ51を駆動させる旨の信号が出力されている間は、ホッパー装置23への電力の供給を遮断するものである。具体的には、電源スイッチ回路75は、図５に示すように、メイン制御基板19のＣＰＵ41から出力されるステッピングモータのステータの励磁相φ１及びφ２に励磁電流を与えるためのパルス信号（励磁パルス）が入力されるＯＲゲート79と、メイン制御基板19のＣＰＵ41から出力されるステッピングモータのステータの励磁相φ３及びφ４に励磁電流を与えるためのパルス信号（励磁パルス）が入力されるＯＲゲート80と、ＯＲゲート79及びＯＲゲート80からの出力信号が入力されるＯＲゲート81と、スイッチ素子としてのトランジスタ82とを備えている。
【００３９】
ＯＲゲート79は、ステッピングモータのステータの励磁相φ１及びφ２のそれぞれに励磁電流を与えるための２つのパルス信号（励磁パルス）のうちの少なくともいずれかがハイ信号になって入力されると、ＯＲゲート81にハイ信号を出力する。また、ＯＲゲート79は、ステッピングモータのステータの励磁相φ１及びφ２のそれぞれに励磁電流を与えるための２つのパルス信号（励磁パルス）がいずれもロー信号になって入力されると、ＯＲゲート81にロー信号を出力する。
また、ＯＲゲート80は、ステッピングモータのステータの励磁相φ３及びφ４のそれぞれに励磁電流を与えるための２つのパルス信号（励磁パルス）のうちの少なくともいずれかがハイ信号になって入力されると、ＯＲゲート81にハイ信号を出力する。また、ＯＲゲート80は、ステッピングモータのステータの励磁相φ３及びφ４のそれぞれに励磁電流を与えるための２つのパルス信号（励磁パルス）がいずれもロー信号になって入力されると、ＯＲゲート81にロー信号を出力する。
【００４０】
また、ＯＲゲート81は、ＯＲゲート79及びＯＲゲート80のそれぞれから出力される２つの信号のうちの少なくともいずれかがハイ信号になって入力されると、トランジスタ82にハイ信号を出力する。また、ＯＲゲート81は、ＯＲゲート79及びＯＲゲート80のそれぞれから出力される２つの信号がいずれもロー信号になって入力されると、トランジスタ82にロー信号を出力する。
また、トランジスタ82は、そのベースにＯＲゲート81が接続されており、コレクタにはリール制御基板16の電源回路74が接続されており、エミッタにはホッパー装置23が接続されている。そして、トランジスタ82は、ＯＲゲート81からハイ信号が入力されるとオンになり、ＯＲゲート81からロー信号が入力されるとオフになる。
【００４１】
すなわち、電源スイッチ回路75では、メイン制御基板19のＣＰＵ41から電源スイッチ回路75に、ステッピングモータのステータの各励磁相φ１〜φ４のそれぞれに励磁電流を与えるための４つのパルス信号（励磁パルス）のうちの少なくともいずれかがハイ信号になって入力されると、ＯＲゲート81からトランジスタ82にハイ信号が出力され、トランジスタ82がオンになる。すると、リール制御基板16の電源スイッチ回路75からホッパー装置23にＤＣ５Ｖ電力が供給される。なお、本実施の形態において、この電源スイッチ回路75は、各回転リール14に対応して三個設けられている。
ここで、ホッパー装置23には、特に図示していないが、リレースイッチが設けられており、このリレースイッチは、常態においてはオンとなっており、電源基板77からリール制御基板16を介して供給されるＤＣ２４Ｖ電力がホッパー駆動モータ60に供給されるものとなっている。そして、三個の電源スイッチ回路75のうちのいずれかの電源スイッチ回路75のトランジスタ82がオンとなり、ホッパー装置23にＤＣ５Ｖ電力が供給されると、リレースイッチがオフとなる。すると、ホッパー駆動モータ60へのＤＣ２４Ｖ電力の供給が遮断されるものとなっている。
【００４２】
なお、本実施の形態において、電源スイッチ回路75は、ＯＲゲート79と、ＯＲゲート80と、ＯＲゲート81と、トランジスタ82とを備えているが、これに限定されるものではない。たとえば、電源スイッチ回路75は、ＯＲゲート79と、ＯＲゲート80と、ＯＲゲート81とを備えるようにし、トランジスタ82をホッパー装置23に設けるようにすることもできる。しかしながら、このような構成とすると、ＯＲゲート81とトランジスタ82との間で不正行為が行われる恐れがある。したがって、ＯＲゲート79、ＯＲゲート80、ＯＲゲート81、及びトランジスタ82は、一ヵ所に集約して封印するようにすることが望ましい。すなわち、本実施の形態のように、ＯＲゲート79、ＯＲゲート80、ＯＲゲート81、及びトランジスタ82を一の回路とし、この回路をリール制御基板16に実装するとともに、リール制御基板16を封印することで、ＯＲゲート81とトランジスタ82との間の不正行為を防止することができる。
【００４３】
（作用・効果）
本実施の形態に係るスロットマシン10において、ホッパー装置23は、筐体11内部の仕切り板13の下方、具体的には筐体11の底板上面に配設される。また、ホッパー装置23を駆動させるホッパー駆動回路73は、筐体11内部の仕切り板13の上面に配設されたリールユニット15の上部に設けられる。
これにより、たとえば、前扉25の下部中央に設けられたメダル払出口37から針金やピアノ線等の金属を挿入し、ホッパー駆動回路73を短絡させようとしても、ホッパー駆動回路73は、筐体11内部の仕切り板13の上面に配設されたリールユニット15の上部に設けられるので、このような行為が困難となる。すなわち、本実施の形態に係るスロットマシン10によれば、前扉25のメダル払出口37や、筐体11の隙間等から針金やピアノ線等の金属を挿入しホッパー駆動回路73を短絡させて、ホッパー装置23を異常動作させ不正に遊技メダルを払い出させる不正行為を防止することができる。
【００４４】
また、本実施の形態に係るスロットマシン10によれば、ホッパー駆動回路73を短絡させようとする場合、筐体11の上部付近のいずれかの箇所から針金やピアノ線等の金属を挿入することとなり、このような作業は、遊技店において目立つこととなる。このため、上述した不正行為の発見が容易となる。
また、本実施の形態に係るスロットマシン10では、三個の回転リール14のうちいずれかの回転リール14が回転している間は、電源スイッチ回路75により、ホッパー装置23への電力の供給が遮断されるので、メイン制御基板19のＣＰＵ41は、回転リール14が回転している間、ホッパー装置23の払出センサ61からの入力信号を監視する必要がなくなる。すなわち、本実施の形態に係るスロットマシン10によれば、メイン制御基板19のソフトの負担を低減することができる。
【００４５】
また、本実施の形態に係るスロットマシン10において、ＯＲゲート79、ＯＲゲート80、ＯＲゲート81、及びトランジスタ82は、一の回路（電源スイッチ回路75）に構成されて、リール制御基板16に集約される。また、リール制御基板16には、封印が施される。これにより、ＯＲゲート81とトランジスタ82との間の不正行為を防止することができる。
さらに、本実施の形態に係るスロットマシン10において、電源スイッチ回路75は、リール駆動回路72及びホッパー駆動回路73とともに、リールユニット15の上部に設けられたリール制御基板16に実装されて集約される。これにより、ホッパー装置23を異常動作させて、遊技メダルを不正に払い出させる不正行為をより確実に防止することができる。
【００４６】
（他の実施の形態）
本発明は、上述した実施の形態に限定されるものではなく、本発明の目的を達成できる範囲における変形および改良なども含むものである。
また、上述した実施の形態において、電源スイッチ回路75は、各回転リール14に対応して三個設けられているが、いずれかの回転リール14に対応して一個設けるようにしても良い。
また、上述した実施の形態において、ホッパー駆動回路73、および電源スイッチ回路75は、リールユニット15の上部に設けられたリール制御基板16に実装されているが、これに限定されるものではない。たとえば、メイン制御基板19に実装するようにしても良い。
【符号の説明】
【００４７】
10  スロットマシン                       11  筐体
11a  正面開口部                           12  ヒンジ
13  仕切り板                             14  回転リール
15  リールユニット                       16  リール制御基板
17  リール制御基板ユニット               18  主制御装置
19  メイン制御基板                       20  メイン制御基板ユニット
21  スイッチ装置                         22  電源装置
23  ホッパー装置
25  前扉                                 26  表示部
27  図柄表示窓                           28  液晶表示装置
29  ランプ                               30  スピーカ
31  操作部                               32  メダル投入口
33a  シングルベットスイッチ              33b  マックスベットスイッチ
34  スタートスイッチ                     35  ストップスイッチ
36  鍵穴                                 37  メダル払出口
38  メダル受け皿                         39  メダルセレクタ
40  サブ制御基板
41  ＣＰＵ                               42  ＲＯＭ
43  ＲＡＭ                               44  Ｉ／Ｏポート
45  乱数発生回路                         46  サンプリング回路
47  設定キースイッチ                     48  設定変更スイッチ
49  リセットスイッチ                     50  打ち止めスイッチ
51  リール駆動モータ                     52  バックランプ
53  リールフレーム                       54  リールセンサ
55  バックランプ中継基板                 56  ケース蓋
58  貯留部                               59  基部
60  ホッパー駆動モータ                   61  払出センサ
62  外部出力基板
65  ＣＰＵ                               66  ＲＯＭ
67  ＲＡＭ                               68  Ｉ／Ｏポート
69  乱数発生回路                         70  サンプリング回路
71  電源回路
72  リール駆動回路                       73  ホッパー駆動回路
74  電源回路                             75  電源スイッチ回路
77  電源基板                             78  電源回路
79  ＯＲゲート                           80  ＯＲゲート
81  ＯＲゲート                           82  トランジスタ
83  精算スイッチ
【図１】
0005495368.tif 000002
【図２】
0005495368.tif 000003
【図３】
0005495368.tif 000004
【図４】
0005495368.tif 000005
【図５】
0005495368.tif 000006